(57)【要約】【課題】イベントの撮影許可や撮影禁止を自動で判定し、判定結果に基づいて撮影した画像データの保存の可否を制御することによってイベントの秘匿性の確保及び著作権保護を実現しつつ、イベントの広告宣伝と当該イベント参加に対する参加者の満足度を向上させることが可能なサーバ装置等を提供する。【解決手段】通信端末装置１０によって撮像され、かつ、当該通信端末装置１０のユーザが保存を希望する保存対象画像のデータを保存対象画像データとして保存する際に用いる認証用の画像特徴量のデータを、画像特徴量データとして取得する。そして、画像特徴量データが示す画像特徴量と、保存を許可すべき画像特徴量のパターンである認証パターンとに基づいて、保存対象画像データを保存するか否かを判定し、判定結果データを通信端末装置１０に送信する。【選択図】図７
2014192753.tif 000002
【特許請求の範囲】
【請求項１】
通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段と、
前記取得された画像特徴量データが示す画像特徴量と、保存を許可すべき画像特徴量のパターンである認証パターンとに基づいて、前記保存対象画像データを保存するか否かを判定する判定処理を実行する判定手段と、
前記判定処理の結果を示す判定結果データを前記通信端末装置に送信する送信手段と、
を備えることを特徴とするサーバ装置。
【請求項２】
請求項１に記載のサーバ装置において、
前記判定手段が、前記画像特徴量と前記認証パターンとの相関度を算出し、当該相関度に基づいて前記判定処理を実行する、サーバ装置。
【請求項３】
請求項１又は２に記載のサーバ装置において、
前記判定処理で用いられる前記認証パターンを可変に設定する設定手段を備える、サーバ装置。
【請求項４】
請求項３に記載のサーバ装置において、
前記取得手段が、前記通信端末装置の位置情報及び時刻情報の少なくとも一方を前記通信端末装置から取得し、
前記設定手段が、取得された前記位置情報、前記時刻情報、又はその双方の情報に基づいて前記認証パターンを可変に設定する、サーバ装置。
【請求項５】
請求項１〜４のいずれか１項に記載のサーバ装置において、
前記判定手段が、前記画像特徴量データ及び前記認証パターンとともに前記ユーザが前記保存対象画像の保存を許可されたことを示す許可データの有無に基づいて、前記判定処理を実行する、サーバ装置。
【請求項６】
請求項１〜５のいずれか１項に記載のサーバ装置において、
記録手段を制御する記録制御手段を備え、
前記記録制御手段が、前記判定手段が前記保存対象画像データを保存すると判定した場合に、前記保存対象画像データを前記記録手段に記録させる制御を実行する、サーバ装置。
【請求項７】
請求項６に記載のサーバ装置において、
前記記録手段が、前記ユーザがアクセス可能なアクセス可能領域と前記ユーザがアクセス不可能なアクセス不可領域とを有し、
前記記録制御手段が、
前記撮像された保存対象画像データを前記アクセス不可領域に記録させる制御を実行し、
前記判定手段が前記保存対象画像データを保存すると判定した場合には、前記アクセス不可領域の前記保存対象画像データを前記アクセス可能領域に転送して記録させるとともに前記アクセス不可領域の前記保存対象画像データを消去させる制御を実行し、
前記判定手段が前記保存対象画像を保存しないと判定した場合には、前記アクセス不可領域の前記保存対象画像データを前記アクセス可能領域に転送せずに消去させる制御を実行する、サーバ装置。
【請求項８】
請求項６又は７に記載のサーバ装置において、
前記記録手段が前記サーバ装置に設けられており、
前記取得手段が、前記撮像された保存対象画像データを前記通信端末装置から取得し、
前記記録制御手段が、前記取得された保存対象画像データを前記記録手段に記録させる制御を実行する、サーバ装置。
【請求項９】
請求項６又は７に記載のサーバ装置において、
前記記録手段が前記通信端末装置に設けられており、
前記記録制御手段が、前記判定処理の結果に応じて前記記録手段を制御するための制御指令データを生成し、
前記送信手段が、前記判定結果データとともに前記制御指令データを送信する、サーバ装置。
【請求項１０】
請求項１〜９のいずれか１項に記載のサーバ装置において、
前記画像特徴量が、前記保存対象画像に関連付けられた認証用画像から算出される、サーバ装置。
【請求項１１】
請求項１０に記載のサーバ装置において、
前記保存対象画像が静止画像であり、
前記認証用画像が前記静止画像の撮像直前及び撮像直後の少なくとも一方で撮像された動画像である、サーバ装置。
【請求項１２】
請求項１０又は１１に記載のサーバ装置において、
前記取得手段が、前記認証用画像のデータである認証用画像データを前記通信端末装置から取得し、当該認証用画像データに基づいて前記画像特徴量を算出することにより前記画像特徴量データを取得する、サーバ装置。
【請求項１３】
請求項１〜１２のいずれか１項に記載のサーバ装置において、
前記画像特徴量は、色の特徴量である、サーバ装置。
【請求項１４】
請求項１３に記載のサーバ装置において、
前記色の特徴量は、輝度又は明度である、サーバ装置。
【請求項１５】
通信端末装置に情報を提供するサーバ装置を、
前記通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段、
前記取得された画像特徴量データが示す画像特徴量と、保存を許可すべき画像特徴量のパターンである認証パターンとに基づいて、前記保存対象画像データを保存するか否かを判定する判定処理を実行する判定手段、
前記判定処理の結果を示す判定結果データを前記通信端末装置に送信する送信手段、
として機能させることを特徴とするプログラム。
【請求項１６】
ネットワークと、前記ネットワークに接続された通信端末装置と、前記ネットワークに接続され、かつ、前記通信端末装置に情報を提供するサーバ装置と、を有する通信システムであって、
前記サーバ装置は、
前記通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段と、
前記取得された画像特徴量データが示す画像特徴量と、保存を許可すべき画像特徴量のパターンである認証パターンとに基づいて、前記保存対象画像データを保存するか否かを判定する判定処理を実行する判定手段と、
前記判定処理の結果を示す判定結果データを前記通信端末装置に送信する送信手段と、
を備えることを特徴とする通信システム。
【請求項１７】
被写体を撮像する撮像手段と、
前記撮像手段の出力に基づいて、ユーザが保存を希望する保存対象画像のデータを保存対象画像データとして生成する生成手段と、
前記保存対象画像データを保存する際に用いる認証用の画像特徴量を算出する算出手段と、
前記算出された画像特徴量と、保存を許可すべき画像特徴量のパターンである認証パターンとに基づいて、前記保存対象画像データを保存するか否かを判定する判定処理を実行する判定手段と、
前記判定手段が前記保存対象画像データを保存すると判定した場合に、前記保存対象画像データを、記録手段におけるユーザがアクセス可能なアクセス可能領域に記録させる制御を実行する記録制御手段と、
を備えることを特徴とする撮像装置。
【請求項１８】
被写体を撮像する撮像手段を備える撮像装置を、
前記撮像手段の出力に基づいて、ユーザが保存を希望する保存対象画像のデータを保存対象画像データとして生成する生成手段、
前記保存対象画像データを保存する際に用いる認証用の画像特徴量を算出する算出手段、
前記算出された画像特徴量と、保存を許可すべき画像特徴量のパターンである認証パターンとに基づいて、前記保存対象画像データを保存するか否かを判定する判定処理を実行する判定手段、
前記判定手段が前記保存対象画像データを保存すると判定した場合に、前記保存対象画像データを、記録手段におけるユーザがアクセス可能なアクセス可能領域に記録させる制御を実行する記録制御手段、
として機能させることを特徴とするプログラム。
【発明の詳細な説明】
【技術分野】
【０００１】
本発明は、通信端末装置と連動して情報を提供するサーバ装置及びそのプログラム、通信システム、撮像装置及びそのプログラムに関する。
【背景技術】
【０００２】
近年、ＷＷＷ（Ｗｏｒｌｄ  Ｗｉｄｅ  Ｗｅｂ）などのネットワーク技術の発展及びスマートフォンなどに代表される携帯型情報通信端末装置の進歩に伴い、仮想空間上におけるコミュニケーションツールとしてソーシャルネットワーキングサービス（以下、「ＳＮＳ」と略称する。）や電子掲示板に代表されるインターネットコミュニティが普及し、それらの利用者の数も年々増加している。
【０００３】
例えば、ＳＮＳは、ＷＷＷ上の仮想空間において、人々が自身の経歴及び顔写真の他に、お気に入りの写真、趣味嗜好、日記、勤務先、職業、居住地等の各情報を公開すること、公開した情報を他人と共有すること、及び、公開した情報に基づいて友人を募り交流を深める道具として用いることができるようになっている。また、ＳＮＳは、静止画像や動画像の共有をも手軽に行えるように構成されている。
【０００４】
最近、イベントの参加者（以下、「ユーザ」ともいう。）がまだ参加していない多数の人にイベントをＳＮＳで紹介させて口コミでの広告宣伝をさせつつ、ユーザのイベント参加に対する満足度を向上させるため、参加者に対して撮影を許可するイベントが増えつつある。一方、著作権の関係上、又は、まだ参加していない人には内容を秘密にしておくべく、イベントの主催者は、参加者に対してイベント全体若しくは一部の撮影を禁止したい場合がある。
【０００５】
一方、近年、撮影を許可すべき状況か撮影を禁止すべき状況かを自動で判定するシステム（例えば、特許文献１）や撮影禁止エリアでの撮影を自動で判定するシステム（例えば、特許文献２）が提案されている。
【０００６】
特許文献１に記載のシステムにおいては、本体の静止状態を検出する加速度センサ等の静止検出ユニットを携帯端末装置に設け、静止状態が所定時間以上継続したか否かで当該携帯端末装置での撮影を許可すべきか否かを自動で判定するように構成されている。
【０００７】
また、特許文献２に記載のシステムにおいては、撮影禁止エリアに１以上の集音マイクを設け、集音した音声と、複数のシャッター音のサンプルデータとを比較して撮影禁止エリアでの撮影を自動で判定するように構成されている。
【先行技術文献】
【特許文献】
【０００８】
【特許文献１】特開２００４−３６１６５９号公報
【特許文献２】特開２００５−１９６５３９号公報
【発明の概要】
【発明が解決しようとする課題】
【０００９】
しかしながら、上記特許文献１に開示されたシステムにあっては、ユーザが端末装置を同じ静止状態にして各イベントを撮影した場合に、撮影許可のイベントと撮影禁止のイベントとを区別するのが困難である。
【００１０】
また、上記特許文献２に開示されたシステムにあっては、多数の人が参加して雑音が多いイベント会場等を撮影禁止エリアとした場合、シャッター音を検出してユーザが撮影したか否かを判定するのが困難である。
【００１１】
本発明は、上記課題を解決するためになされたものであり、その目的は、イベントの撮影許可や撮影禁止を自動で判定し、判定結果に基づいて撮影した画像データの保存の可否を制御することによってイベントの秘匿性の確保及び著作権保護を実現しつつ、イベントの広告宣伝と当該イベント参加に対する参加者の満足度を向上させることが可能なサーバ装置等を提供することにある。
【課題を解決するための手段】
【００１２】
（１）上述した課題を解決するため、本発明のサーバ装置は、通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段と、前記取得された画像特徴量データが示す画像特徴量と、保存を許可すべき画像特徴量のパターンである認証パターンとに基づいて、前記保存対象画像データを保存するか否かを判定する判定処理を実行する判定手段と、前記判定処理の結果を示す判定結果データを前記通信端末装置に送信する送信手段と、を備える構成を有している。
【００１３】
この構成より、本発明のサーバ装置は、認証用の画像特徴量と撮影を許可すべき認証パターンとを用いて保存対象画像を保存するか否かを判定することができる。
【００１４】
したがって、本発明のサーバ装置は、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【００１５】
（２）また、本発明のサーバ装置は、前記判定手段が、前記画像特徴量と前記認証パターンとの相関度を算出し、当該相関度に基づいて前記判定処理を実行する構成を有している。
【００１６】
この構成により、本発明のサーバ装置は、相関度を用いて認証パターンと画像特徴量との一致度を演算することができるので、イベントの撮影許可や撮影禁止を容易にかつ確実に判定することができる。
【００１７】
（３）また、本発明のサーバ装置は、前記判定処理で用いられる前記認証パターンを可変に設定する設定手段を備える構成を有している。
【００１８】
この構成により、本発明のサーバ装置は、イベントに応じて認証パターンを可変に設定することができるので、イベント毎にユーザの撮影許可や撮影禁止を管理することができる。
【００１９】
（４）また、本発明のサーバ装置は、前記取得手段が、前記通信端末装置の位置情報及び時刻情報の少なくとも一方を前記通信端末装置から取得し、前記設定手段が、取得された前記位置情報、前記時刻情報、又はその双方の情報に基づいて前記認証パターンを可変に設定する構成を有している。
【００２０】
この構成により、本発明のサーバ装置は、通信端末装置の位置情報や時刻情報を用いて認証パターンを可変に設定することができるので、同一会場において異なるイベントが実施される場合、又は、同一時刻において異なる会場でイベントが実施される場合など、個々のイベントにおける撮影許可や撮影禁止について管理することができる。
【００２１】
（５）また、本発明のサーバ装置は、前記判定手段が、前記画像特徴量データ及び前記認証パターンとともに前記ユーザが前記保存対象画像の保存を許可されたことを示す許可データの有無に基づいて、前記判定処理を実行する構成を有している。
【００２２】
この構成により、本発明のサーバ装置は、課金その他の所定の条件に基づいて許可データを付与することによって、ユーザ毎に撮影許可や撮影禁止を管理することができる。
【００２３】
（６）また、本発明のサーバ装置は、記録手段を制御する記録制御手段を備え、前記記録制御手段が、前記判定手段が前記保存対象画像データを保存すると判定した場合に、前記保存対象画像データを前記記録手段に記録させる制御を実行する構成を有する。
【００２４】
この構成により、本発明のサーバ装置は、撮影が許可された画像データを記録手段に保存することができるので、ＳＮＳなどのネットワークコミュニケーションに用いるなど画像データの再利用を促進し、かつ、ユーザの満足度を向上させることができる。
【００２５】
（７）また、本発明のサーバ装置は、前記記録手段が、前記ユーザがアクセス可能なアクセス可能領域と前記ユーザがアクセス不可能なアクセス不可領域とを有し、前記記録制御手段が、前記撮像された保存対象画像データを前記アクセス不可領域に記録させる制御を実行し、前記判定手段が前記保存対象画像データを保存すると判定した場合には、前記アクセス不可領域の前記保存対象画像データを前記アクセス可能領域に転送して記録させるとともに前記アクセス不可領域の前記保存対象画像データを消去させる制御を実行し、前記判定手段が前記保存対象画像を保存しないと判定した場合には、前記アクセス不可領域の前記保存対象画像データを前記アクセス可能領域に転送せずに消去させる制御を実行する構成を有している。
【００２６】
この構成により、本発明のサーバ装置は、画像特徴量と保存を希望する画像とを一連の撮影によって実現することができるので、撮像以外の他の操作をユーザに要求することなく、イベントの撮影許可や撮影禁止を判定することができる。さらに、撮影禁止時の画像データはユーザが閲覧可能に保存されずに消去されるので、イベントの秘匿性の確保及び著作権保護をも実現することができる。
【００２７】
（８）また、本発明のサーバ装置は、前記記録手段が前記サーバ装置に設けられており、前記取得手段が、前記撮像された保存対象画像データを前記通信端末装置から取得し、前記記録制御手段が、前記取得された保存対象画像データを前記記録手段に記録させる制御を実行する構成を有している。
【００２８】
この構成により、本発明のサーバ装置は、撮影が許可された画像データをネットワーク管理することができるので、画像データの再取得又は転送など画像データの再利用及び管理を容易に実現することができる。
【００２９】
（９）また、本発明のサーバ装置は、前記記録手段が前記通信端末装置に設けられており、前記記録制御手段が、前記判定処理の結果に応じて前記記録手段を制御するための制御指令データを生成し、前記送信手段が、前記判定結果データとともに前記制御指令データを送信する構成を有している。
【００３０】
この構成により、本発明のサーバ装置は、撮影が許可された画像データを通信端末装置に保存することができるので、ネットワークと無関係に、すなわち、オフラインによって画像データの利用を行うことができるとともに、その結果、画像データを利用する際のユーザの利便性を向上させることができる。
【００３１】
（１０）また、本発明のサーバ装置は、前記画像特徴量が、前記保存対象画像に関連付けられた認証用画像から算出される構成を有している。
【００３２】
この構成により、本発明のサーバ装置は、例えば、保存対象画像の前後の画像から画像特徴量を取得するなど、画像特徴量と保存を希望する画像と一連の撮影によって実現することができるので、撮像以外の他の操作をユーザに要求することなく、イベントの撮影許可や撮影禁止を判定することができる。
【００３３】
（１１）また、本発明のサーバ装置は、前記保存対象画像が静止画像であり、前記認証用画像が前記静止画像の撮像直前及び撮像直後の少なくとも一方で撮像された動画像である構成を有している。
【００３４】
この構成により、本発明のサーバ装置は、画像特徴量と保存を希望する画像と一連の撮影によって実現することができるので、撮像以外の他の操作をユーザに要求することなく、イベントの撮影許可や撮影禁止を判定することができる。
【００３５】
（１２）また、本発明のサーバ装置は、前記取得手段が、前記認証用画像のデータである認証用画像データを前記通信端末装置から取得し、当該認証用画像データに基づいて前記画像特徴量を算出することにより前記画像特徴量データを取得する構成を有している。
【００３６】
この構成により、本発明のサーバ装置は、画像特徴量と保存対象を希望する画像と一連の撮影によって実現することができるので、撮像以外の他の操作をユーザに要求することなく、イベントの撮影許可や撮影禁止を判定することができる。
【００３７】
（１３）また、本発明のサーバ装置は、前記画像特徴量は、色の特徴量である構成を有している。
【００３８】
この構成により、本発明のサーバ装置は、画像を構成する輝度又は明度などの色の特徴量を用いてイベントの撮影許可や撮影禁止を判定することができるので、画像特徴量と保存を希望する画像と一連の撮影によって実現することができるとともに容易に画像特徴量を取得することができる。
【００３９】
（１４）また、本発明のサーバ装置は、前記色の特徴量は、輝度又は明度である構成を有している。
【００４０】
この構成により、本発明のサーバ装置は、輝度又は明度を用いてイベントの撮影許可や撮影禁止を判定することができるので、画像特徴量と保存を希望する画像と一連の撮影によって実現することができるとともに容易に画像特徴量を取得することができる。
【００４１】
（１５）また、本発明のプログラムは、通信端末装置に情報を提供するサーバ装置を、前記通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段、前記取得された画像特徴量データが示す画像特徴量と、保存を許可すべき画像特徴量のパターンである認証パターンとに基づいて、前記保存対象画像データを保存するか否かを判定する判定処理を実行する判定手段、前記判定処理の結果を示す判定結果データを前記通信端末装置に送信する送信手段、として機能させる構成を有している。
【００４２】
この構成より、本発明のプログラムは、サーバ装置によって、認証用の画像特徴量と撮影を許可すべき認証パターンとを用いて保存対象画像を保存するか否かを判定することができる。
【００４３】
したがって、本発明のプログラムは、サーバ装置によって、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【００４４】
（１６）また、本発明の通信システムは、ネットワークと、前記ネットワークに接続された通信端末装置と、前記ネットワークに接続され、かつ、前記通信端末装置に情報を提供するサーバ装置と、を有する通信システムであって、前記サーバ装置は、前記通信端末装置によって撮像され、かつ、当該通信端末装置のユーザが保存を希望する保存対象画像のデータを保存対象画像データとして保存する際に用いる認証用の画像特徴量のデータを、画像特徴量データとして取得する取得手段と、前記取得された画像特徴量データが示す画像特徴量と、保存を許可すべき画像特徴量のパターンである認証パターンとに基づいて、前記保存対象画像データを保存するか否かを判定する判定処理を実行する判定手段と、前記判定処理の結果を示す判定結果データを前記通信端末装置に送信する送信手段と、を備える構成を有している。
【００４５】
この構成より、本発明の通信システムは、認証用の画像特徴量と撮影を許可すべき認証パターンとを用いて保存対象画像を保存するか否かを判定することができる。
【００４６】
したがって、本発明の通信システムは、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【００４７】
（１７）また、本発明の撮像装置は、被写体を撮像する撮像手段と、前記撮像手段の出力に基づいて、ユーザが保存を希望する保存対象画像のデータを保存対象画像データとして生成する生成手段と、前記保存対象画像データを保存する際に用いる認証用の画像特徴量を算出する算出手段と、前記算出された画像特徴量と、保存を許可すべき画像特徴量のパターンである認証パターンとに基づいて、前記保存対象画像データを保存するか否かを判定する判定処理を実行する判定手段と、前記判定手段が前記保存対象画像データを保存すると判定した場合に、前記保存対象画像データを、記録手段におけるユーザがアクセス可能なアクセス可能領域に記録させる制御を実行する記録制御手段と、を備える構成を有している。
【００４８】
この構成より、本発明の撮像装置は、認証用の画像特徴量と撮影を許可すべき認証パターンとを用いて保存対象画像を保存するか否かを判定することができる。
【００４９】
したがって、本発明の撮像装置は、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【００５０】
（１８）また、本発明のプログラムは、被写体を撮像する撮像手段を備える撮像装置を、前記撮像部の出力に基づいて、ユーザが保存を希望する保存対象画像のデータを保存対象画像データとして生成する生成手段、前記保存対象画像データを保存する際に用いる認証用の画像特徴量を算出する算出手段、前記算出された画像特徴量と、保存を許可すべき画像特徴量のパターンである認証パターンとに基づいて、前記保存対象画像データを保存するか否かを判定する判定処理を実行する判定手段、前記判定手段が前記保存対象画像データを保存すると判定した場合に、前記保存対象画像データを、記録手段におけるユーザがアクセス可能なアクセス可能領域に記録させる制御を実行する記録制御手段、として機能させる構成を有している。
【００５１】
この構成より、本発明のプログラムは、撮像装置によって、認証用の画像特徴量と撮影を許可すべき認証パターンとを用いて保存対象画像を保存するか否かを判定することができる。
【００５２】
したがって、本発明のプログラムは、撮像装置によって、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【発明の効果】
【００５３】
本発明のサーバ装置及びそのプログラム、通信システム、並びに、撮像装置及びそのプログラムは、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【図面の簡単な説明】
【００５４】
【図１】本発明の一実施形態における通信システムの構成を示すシステム構成図である。
【図２】一実施形態における通信システムの動作概要を示す概念図である。
【図３】一実施形態における通信端末装置の構成を示すブロック図である。
【図４】一実施形態におけるサーバ装置の構成を示すブロック図である。
【図５】一実施形態におけるサーバ装置内の認証パターンデータベースに記録されるデータの一例を示す図である。
【図６】一実施形態におけるサーバ装置内の撮影権データベースに記録されるデータの一例を示す図である。
【図７】一実施形態の通信端末装置において実行される画像特徴量の算出処理及びサーバ装置において実行される相関度の算出処理の具体例を示すための概念図である。
【図８】一実施形態の通信システムにおいて実行される各処理を示すフローチャート（その１）である。
【図９】一実施形態の通信システムにおいて実行される各処理を示すフローチャート（その２）である。
【図１０】一変形例における撮像装置の構成を示すブロック図である。
【図１１】一変形例の撮像装置において実行される各処理を示すフローチャートである。
【発明を実施するための形態】
【００５５】
以下、図面を参照しつつ、本発明の実施形態について説明する。なお、以下の実施形態は、通信端末装置と、当該通信端末装置とネットワークを介して接続されるサーバ装置と、を有する通信システムに対し、本発明に係る、サーバ装置、プログラム及び通信システムを適用した場合の実施形態である。
【００５６】
［１］通信システムの構成及び概要
まず、図１及び図２を用いて本実施形態における通信システム１の構成及び概要について説明する。
【００５７】
なお、図１は、本実施形態における通信システム１の構成を示すシステム構成図であり、図２は、本実施形態における通信システム１の動作概要を示す概念図である。また、図が煩雑になることを防止するために、図１及び図２においては、一部のユーザのみを示している。すなわち、実際の通信システム１においては、表示するよりも多数のユーザ及び通信端末装置が存在している。
【００５８】
本実施形態の通信システム１は、図１に示すように、ＳＮＳの各ユーザによってそれぞれ所持される、複数の通信端末装置１０と、ネットワーク２０と、サーバ装置３０と、ＧＰＳ（Ｇｌｏｂａｌ  Ｐｏｓｉｔｉｏｎｉｎｇ  Ｓｙｓｔｅｍ）衛星４０と、照明装置５０と、ネットワーク２０に接続された基地局ＢＳと、を有している。
【００５９】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００６０】
本実施形態の通信システム１は、ＳＮＳのユーザが通信端末装置１０を用いて撮影したイベントの撮影許可や撮影禁止を自動で判定し、判定結果に基づいて撮影した画像データの保存の可否を制御することによって、イベントの秘匿性の確保及び著作権保護を実現しつつ、イベントの広告宣伝と当該イベント参加に対する参加者の満足度を向上させる。
【００６１】
通信端末装置１０は、例えば、スマートフォン、携帯用電話機、タブレット型情報端末装置、通信機能付デジタルカメラ、又は、携帯型ゲーム機であり、ユーザによって携帯可能な通信端末装置である。
【００６２】
この通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、サーバ装置３０とのデータ通信を行うブラウジング機能を有している。
【００６３】
そして、通信端末装置１０は、当該ブラウジング機能を用いて、サーバ装置３０から受信したＸＭＬデータに基づいて各種情報を表示するとともに、基地局ＢＳ及びネットワーク２０を介してサーバ装置３０と通信接続しつつ、サーバ装置３０からＳＮＳのサービス提供を受けるようになっている。
【００６４】
また、通信端末装置１０は、レンズ等を含む光学系及び撮像素子を有する撮像部を備え、静止画撮影又は動画撮影を実行可能に構成されている。本実施形態の通信システム１においては、通信端末装置１０は、静止画撮影により静止画像を保存対象画像として取得すると、動画撮影を実行し、動画像を当該保存対象画像に関連付けられた認証用画像として取得するように構成されている。さらに、通信端末装置１０は、認証用画像から、保存対象画像のデータを保存する際に用いる認証用の画像特徴量を算出するように構成されている。なお、画像特徴量及びその算出処理の詳細については後述する。
【００６５】
特に、通信端末装置１０は、静止画撮影を行うと、図２に示すように、静止画像データを保存対象画像データとしてサーバ装置３０に送信するように構成されている。また、通信端末装置１０は、保存対象画像データとともに算出した画像特徴量データもあわせて送信するように構成されている。
【００６６】
さらに、通信端末装置１０は、図２に示すように、保存対象画像データ等の送信に応じてサーバ装置３０が当該保存対象画像データを保存するか否かを判定した判定結果を示す判定結果データを受信し、当該判定結果をユーザに閲覧可能に表示するように構成されている。
【００６７】
サーバ装置３０は、ＳＮＳの各サービスを提供するために用いられる。特に、サーバ装置３０は、保存対象画像データを通信端末装置１０から受信すると、当該保存対象画像データを保存するか否かを判定する判定処理を実行するように構成されている。
【００６８】
具体的には、サーバ装置３０は、保存対象画像データを受信すると、保存を許可すべき画像特徴量のパターンである認証パターンを、データベース（以下、「ＤＢ」ともいい、ここでは具体的には後述する認証パターンＤＢ３３５）から読み出す。サーバ装置３０は、保存対象画像データとともに受信した画像特徴量データが示す画像特徴量と、読み出した認証パターンとの相関度を算出し、当該相関度に基づいて保存対象画像データを保存するか否かを判定する。なお、相関度及びその算出処理の詳細については後述する。
【００６９】
さらに、サーバ装置３０は、画像特徴量データ及び認証パターンとともに、ユーザが保存対象画像の保存を許可されたことを示す許可データの有無に基づいて、判定処理を実行するように構成されている。許可データの詳細については後述する。
【００７０】
そして、サーバ装置３０は、図２に示すように、判定結果を示す判定結果データを通信端末装置１０に送信するように構成されている。
【００７１】
また、サーバ装置３０は、保存対象画像データを受信すると、ユーザがアクセス可能なアクセス可能領域とユーザがアクセス不可能なアクセス不可領域を有する後述の画像ＤＢのアクセス不可領域に当該保存対象画像データを記録させる制御を実行するように構成されている。
【００７２】
そして、サーバ装置３０は、上述の判定処理を実行して当該保存対象画像データを保存すると判定した場合には、アクセス不可領域の保存対象画像データをアクセス可能領域に転送して記録させるとともにアクセス不可領域の保存対象画像データを消去させる制御を実行するように構成されている。さらに、サーバ装置３０は、保存対象画像を保存しないと判定した場合には、アクセス不可領域の保存対象画像データをアクセス可能領域に転送せずに消去させる制御を実行するように構成されている。
【００７３】
照明装置５０は、各イベントの会場に設置されている。特に、撮影を許可されたイベントの会場に設置される照明装置５０は、照射光の波長帯及び強度の少なくとも一方を変更するための照明変更パターンを記録するメモリを備え、当該メモリに記録された照明変更パターンに従って照射光の波長帯及び強度の少なくとも一方を制御するように構成されている。照明変更パターンは、当該イベントを撮影した通信端末装置１０の認証用画像から算出される画像特徴量が認証パターンを示すように予め規定されている。
【００７４】
例えば、図１に示す通信システム１において、イベントＡが撮影を許可されたイベントであり、イベントＢが撮影を禁止されたイベントであると想定する。イベントＡの会場に設置された照明装置５０−１は、照明変更パターンに従って照射光の波長帯及び強度の少なくとも一方を制御する。一方、イベントＢの会場に設置された照明装置５０−２は、照射光の波長帯及び強度を変更せず一定に保つ。
【００７５】
ユーザａが通信端末装置１０−１を用いてイベントＡの静止画撮影を行うと、上述したように、通信端末装置１０−１は、保存対象画像データ及び画像特徴量データをサーバ装置３０に送信する。ここで、画像特徴量が照明装置５０−１の照射光の変更による影響を受けていることから、サーバ装置３０は、画像特徴量データが示す画像特徴量と認証パターンとに基づいて当該保存対象画像データを保存すると判定する。
【００７６】
そして、サーバ装置３０は、判定結果データを通信端末装置１０−１に送信する。また、サーバ装置３０は、アクセス不可領域の保存対象画像データをアクセス可能領域に転送して記録させるとともにアクセス不可領域の保存対象画像データを消去させる制御を実行する。通信端末装置１０−１は、当該判定結果データを受信すると、保存対象画像データがサーバ装置３０に保存された旨をユーザａに閲覧可能に表示する。
【００７７】
一方、ユーザｂが通信端末装置１０−２を用いてイベントＢの静止画撮影を行うと、上述したように、通信端末装置１０−２は、保存対象画像データ及び画像特徴量データをサーバ装置３０に送信する。ここで、照明装置５０−２の照射光の波長帯及び強度が一定であることから、サーバ装置３０は、画像特徴量データが示す画像特徴量と認証パターンとに基づいて当該保存対象画像データを保存しないと判定する。
【００７８】
そして、サーバ装置３０は、判定結果データを通信端末装置１０−２に送信する。また、サーバ装置３０は、アクセス不可領域の保存対象画像データをアクセス可能領域に転送せずに消去させる制御を実行する。通信端末装置１０−２は、当該判定結果データを受信すると、保存対象画像データがサーバ装置３０に保存されなかった旨をユーザｂに閲覧可能に表示する。
【００７９】
上述したとおり、本実施形態における通信システム１及びサーバ装置３０は、認証用の画像特徴量と撮影を許可すべき認証パターンとを用いて保存対象画像を保存するか否かを判定することができるので、イベントの撮影許可や撮影禁止を自動で判定し、判定結果に基づいて、撮影した画像データを保存の可否を制御することができるとともに、イベントの秘匿性の確保及び著作権保護を実現しつつ、イベントの広告宣伝と当該イベント参加に対するユーザの満足度を向上させることができるようになっている。
【００８０】
また、本実施形態における通信システム１及びサーバ装置３０は、相関度を用いて認証パターンと画像特徴量との一致度を演算することができるので、イベントの撮影許可や撮影禁止を容易にかつ確実に判定することができるようになっている。
【００８１】
また、本実施形態における通信システム１及びサーバ装置３０は、イベントに応じて認証パターンを可変に設定することができるので、イベント毎にユーザの撮影許可や撮影禁止を管理することができるようになっている。
【００８２】
また、本実施形態における通信システム１及びサーバ装置３０は、課金その他の所定の条件に基づいて許可データを付与することによって、ユーザ毎に撮影許可や撮影禁止を管理することができるようになっている。
【００８３】
また、本実施形態における通信システム１及びサーバ装置３０は、撮影が許可された画像データを画像ＤＢに保存することができるので、ＳＮＳなどのネットワークコミュニケーションに用いるなど画像データの再利用を促進し、かつ、ユーザの満足度を向上させることができるようになっている。
【００８４】
また、本実施形態における通信システム１及びサーバ装置３０は、画像特徴量と保存を希望する画像とを一連の撮影によって実現することができるので、撮像以外の他の操作をユーザに要求することなく、イベントの撮影許可や撮影禁止を判定することができるとともに、撮影禁止時の画像データはユーザが閲覧可能に保存されずに消去されるので、イベントの秘匿性の確保及び著作権保護をも実現することができるようになっている。
【００８５】
また、本実施形態における通信システム１及びサーバ装置３０は、撮影が許可された画像データをネットワーク管理することができるので、画像データの再取得又は転送など画像データの再利用及び管理を容易に実現することができるようになっている。
【００８６】
また、本実施形態における通信システム１及びサーバ装置３０は、例えば、保存対象画像の前後の画像から画像特徴量を取得するなど、画像特徴量と保存を希望する画像と一連の撮影によって実現することができるので、撮像以外の他の操作をユーザに要求することなく、イベントの撮影許可や撮影禁止を判定することができるようになっている。
【００８７】
［２］通信端末装置の構成
次に、図３を用いて本実施形態の各通信端末装置１０の構成について説明する。なお、図３は、本実施形態の通信端末装置１０の構成を示す構成図である。
【００８８】
本実施形態の通信端末装置１０は、図３に示すように、記録部１００と、ネットワーク通信部１１０と、現在位置検出部１２０と、撮像部１３０と、端末データ処理部１４０と、表示部１５０と、表示制御部１６０と、操作部１７０と、端末管理制御部１８０と、を有している。なお、上記の各部は、バスＢによって相互に接続され、各構成要素間におけるデータの転送が実行される。
【００８９】
記録部１００は、例えば、ハードディスクドライブ（以下、「ＨＤＤ」と略す。）、又は、ＮＡＮＤ型、ＮＯＲ型等の不揮発性フラッシュメモリによって構成される。また、記録部１００は、ネットワーク通信部１１０、及び、端末管理制御部１８０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）も含まれる。
【００９０】
また、記録部１００は、アプリケーション記録部１０１と、画像データ記録部１０２と、を少なくとも含む。
【００９１】
アプリケーション記録部１０１には、端末データ処理部１４０、及び、端末管理制御部１８０によって実行される様々なアプリケーションプログラム（以下、「アプリケーション」という。）が記録されている他に、上記ブラウジング機能を実現するためのブラウザ用のプログラムも記録されている。また、アプリケーション記録部１０１には、ユーザ名、ＳＮＳのサービスを享受するためのユーザＩＤ、当該通信端末装置１０を一意に識別するための端末ＩＤ、当該ユーザの友人登録情報等を含むユーザ登録情報が記録されている。
【００９２】
画像データ記録部１０２は、ユーザがアクセス可能なアクセス可能領域１０２と、ユーザがアクセス不可能なアクセス不可領域１０３と、を少なくとも有する。アクセス可能領域１０２には、ネットワーク通信部１１０を介して取得された静止画像、動画像の画像データが記録される。一方、アクセス不可領域１０３には、画像データ生成部１４１が撮像部１３０の出力に基づいて生成した画像データ、算出部１４２が算出した画像特徴量のデータが記録される。
【００９３】
ネットワーク通信部１１０は、基地局ＢＳの準拠する通信規格により、基地局ＢＳと無線通信チャネルを構築し、ネットワーク２０を経由して、サーバ装置３０と、各種データの授受を行う。特に、ネットワーク通信部１１０は、画像データ生成部１４１が生成した静止画像データ及び算出部１４２が算出した画像特徴量のデータをサーバ装置３０へ送信する。そして、ネットワーク通信部１１０は、サーバ装置３０が送信した判定結果データを受信する。
【００９４】
なお、基地局ＢＳの準拠する通信規格はネットワーク２０の構成により変化する。例えば、ネットワーク２０が携帯電話網を含む場合に、３ＧＰＰ（３ｒｄ  Ｇｅｎｅｒａｔｉｏｎ  Ｐｅｒｔｎｅｒｓｈｉｐ  Ｐｒｏｊｅｃｔ）又は３ＧＰＰ２、ＬＴＥ（Ｌｏｎｇ  Ｔｅｒｍ  Ｅｖｏｌｕｔｉｏｎ）などの通信規格に準拠することになる。
【００９５】
現在位置検出部１２０は、所定のタイミング毎に通信端末装置１０の現在位置を検出しつつ、当該現在位置を示す位置情報を生成する。
【００９６】
例えば、現在位置検出部１２０は、所定のタイミングにおいて、図１に示すＧＰＳ（Ｇｌｏｂａｌ  Ｐｏｓｉｔｉｏｎｉｎｇ  Ｓｙｓｔｅｍ）衛星４０の位置を認識しつつ、当該ＧＰＳ衛星４０から送信された衛星信号（ＧＰＳ信号）を受信する。そして、現在位置検出部１２０は、当該受信したＧＰＳ信号に基づいて自機の現在位置の座標値（例えば、緯度及び経度）を算出し、当該座標値を現在の位置情報として端末管理制御部１８０に供給する。
【００９７】
なお、通信端末装置１０のネットワーク通信部１１０が、携帯電話機能を実現するチップセット、又は、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）の通信プロトコルに従って、無線通信を行う機能を実現するチップセットを用いて構成されている場合には、現在位置検出部１２０は、これらの無線システム等において用いられる、三点測量法、すなわち、基地局ＢＳから受信した電波信号の方角と電波強度に基づいて自機の現在位置を検出してもよい。
【００９８】
撮像部１３０は、被写体を撮像するためのレンズ等の光学系及び撮像素子を有する。撮像素子の出力信号は端末データ処理部１４０へ送信される。
【００９９】
端末データ処理部１４０は、アプリケーション記録部１０１に記録されているアプリケーションに応じて各種データ処理を実行する。また、端末データ処理部１４０は、画像データ生成部１４１と、算出部１４２と、を少なくとも含む。
【０１００】
画像データ生成部１４１は、撮像部１３０から受信した撮像素子の出力信号をＡＤ変換して画像データを生成する。特に、画像データ生成部１４１は、撮像部１３０が静止画像を保存対象画像として取得した場合、静止画像データを保存対象画像データとして生成する。そして、画像データ生成部１４１は、撮像部１３０が当該静止画像に関連付けられた認証用の動画像を取得した場合、当該動画像データを認証用画像データとして生成する。画像データ生成部１４１が生成した画像データは記録部１００へ送信される。
【０１０１】
算出部１４２は、画像データ生成部１４１が認証用画像データを生成した場合、当該認証用画像データが示す認証用の動画像から画像特徴量を算出する。なお、画像特徴量及びその算出処理の詳細は後述する。
【０１０２】
表示部１５０は、例えば、液晶素子又は有機ＥＬ（Ｅｌｅｃｔｒｏ  Ｌｕｍｉｎｅｓｃｅｎｃｅ）素子のパネルによって構成され、表示制御部１６０において生成された表示データに基づいて所定の画像を表示する。
【０１０３】
表示制御部１６０は、表示部１５０に表示させるために必要な表示データを生成するようになっており、生成された表示データを当該表示部１５０に出力する。特に、表示制御部１６０は、ネットワーク通信部１１０を介して受信された判定結果データを用いて、判定結果を示すための表示データを生成する。
【０１０４】
操作部１７０は、各種の確認ボタン、各操作指令を入力する操作ボタン、テンキーなどの多数のキー及びタッチパネルにより構成され、各操作を行う際に用いられるようになっている。
【０１０５】
端末管理制御部１８０は、主に中央演算処理装置（ＣＰＵ）によって構成されるとともに、キー入力ポート、表示制御ポート等の各種入出力ポートを含み、記録部１００に記録された各種のアプリケーションを実行することにより、通信端末装置１０の全般的な機能を総括的に制御する。
【０１０６】
特に、端末管理制御部１８０は、アプリケーション記録部１０１に記憶された各種アプリケーションに基づいて、各処理を実現する。例えば、端末管理制御部１８０は、操作部１７０に対するユーザの入力操作を認識すると、アプリケーション記録部１０１からユーザＩＤを読み出して、ＳＮＳへのログインを行う。また、端末管理制御部１８０は、サーバ装置３０のユーザ情報のデータベースを更新するために、アプリケーション記録部１０１に記録されているユーザ登録情報を、ネットワーク通信部１１０を介してサーバ装置３０に送信する。
【０１０７】
［３］サーバ装置の構成
次に、図４〜図６の各図を用いて本実施形態のサーバ装置３０の構成について説明する。なお、図４は、本実施形態のサーバ装置３０の構成を示すブロック図であり、図５は、本実施形態のサーバ装置３０内の認証パターンＤＢ３３５に記録されるデータの一例を示す図であり、図６は、本実施形態のサーバ装置３０内の撮影権ＤＢ３３６に記録されるデータの一例を示す図ある。
【０１０８】
本実施形態のサーバ装置３０は、図４に示すように、通信制御部３１０と、ＲＯＭ／ＲＡＭ３２０と、記録装置３３０と、サーバデータ処理部３４０と、サーバ管理制御部３５０と、を有する。なお、上記の各部は、バスＢによって相互に接続され、各構成要素間におけるデータの転送が実行される。
【０１０９】
通信制御部３１０は、所定のネットワークインターフェースであり、通信端末装置１０と通信チャネルを構築し、各種のデータの授受を行う。なお、例えば、通信制御部３１０は、本発明の送信手段を構成する。
【０１１０】
ＲＯＭ／ＲＡＭ３２０には、サーバ装置３０の駆動に必要な各種のプログラムが記録されている。また、ＲＯＭ／ＲＡＭ３２０には、サーバデータ処理部３４０、及び、サーバ管理制御部３５０によって実行される様々なアプリケーションが記録されている。そして、ＲＯＭ／ＲＡＭ３２０は、各種の処理が実行される際のワークエリアとして用いられる。
【０１１１】
サーバ管理制御部３５０は、主に中央演算処理装置（ＣＰＵ）によって構成され、プログラムを実行することによって、サーバ装置３０の各部を統合制御する。例えば、サーバ管理制御部３５０は、記録装置３３０と連動し、ユーザの操作による通信端末装置１０からのログイン要求に基づいて各ユーザのＳＮＳへのログイン処理を行う。
【０１１２】
記録装置３３０は、ＨＤＤにより構成され、その記録領域内に、記録装置３３０は、少なくとも会員ＤＢ３３１と、画像ＤＢ３３２と、認証パターンＤＢ３３５と、撮影権ＤＢ３３６と、を有している。
【０１１３】
会員ＤＢ３３１は、ＳＮＳの各ユーザの情報を管理するための各種情報が格納されるデータベースである。例えば、会員ＤＢ３３１には、各ユーザに対応するユーザＩＤと、当該ユーザの名前を示すユーザ名情報と、が対応付けて登録（記録）される。
【０１１４】
画像ＤＢ３３２は、通信端末装置１０から送信された画像データを管理するための各種情報が格納されるデータベースである。なお、例えば、画像ＤＢ３３２は、本発明の記録手段を構成する。
【０１１５】
本実施形態の画像ＤＢ３３２は、ユーザがアクセス可能なアクセス可能領域３３３と、ユーザがアクセス不可能なアクセス不可領域３３４と、を少なくとも有する。例えば、アクセス不可領域３３４には、保存対象画像データを送信したユーザのユーザＩＤと、当該保存対象画像データと、当該保存対象データとともに送信された画像特徴量データと、が対応付けて登録（記録）される。また、例えば、アクセス可能領域３３３には、保存対象画像データを送信したユーザＩＤと、サーバデータ処理部３４０の判定部３４４によって保存すると判定された当該保存対象画像データと、が対応付けて登録（記録）される。
【０１１６】
認証パターンＤＢ３３５は、保存を許可すべき画像特徴量のパターンである認証パターンの情報を管理するための各種情報が格納されるデータベースである。例えば、認証パターンＤＢ３３５には、図５に示すように、
（１）各イベントに対応し、各イベントを識別するためのイベントＩＤと、
（２）当該イベントを撮影する際に撮影権が必要か否かを示す撮影権要否の情報と、
（３）認証パターンを示す数値列データと、
が対応付けて登録（記録）される。なお、数値列の詳細については後述する。
【０１１７】
撮影権ＤＢ３３６は、ＳＮＳの各ユーザが保存対象画像の保存を許可されたことを示す許可データである、撮影が許可されたイベントの撮影権の情報を管理するための各種情報が格納されるデータベースである。例えば、撮影権ＤＢ３３６には、図６に示すように、
（１）各ユーザに対応し、各ユーザを識別するためのユーザＩＤと、
（２）当該ユーザが撮影権を取得したイベントを識別するためのイベントＩＤと、
（３）当該ユーザが撮影権を取得した日時を示す取得日時の情報と、
（４）当該ユーザが取得した撮影権が有効な期間を示す有効期間の情報と、
が対応付けて登録（記録）される。
【０１１８】
なお、記録装置３３０の各ＤＢに格納される上述の情報の項目は一例であり、ＳＮＳのサービス等の状況にあわせて、上述の項目と別の項目がＤＢに追加されたり、上述の項目のうちのいくつかの項目が削除されたりしてもよい。
【０１１９】
サーバデータ処理部３４０は、ＲＯＭ／ＲＡＭ３２０に記録されているアプリケーションに応じて各種データ処理を実行する。特に、サーバデータ処理部３４０は、取得部３４１と、設定部３４２と、判定部３４３と、記録制御部３４４と、を含む。なお、例えば、本実施形態の取得部３４１、設定部３４２、判定部３４３及び記録制御部３４４は、それぞれ本発明の取得手段、設定手段、判定手段及び記録制御手段を構成する。
【０１２０】
取得部３４１は、記録装置３３０の各種ＤＢからデータ処理に用いられる各種データを取得する。そして、取得部３４１は、記録装置３３０から取得した各種データを設定部３４２及び判定部３４３に出力する。
【０１２１】
また、取得部３４１は、各通信端末装置１０が送信した各種情報を、通信制御部３１０を介して取得する。例えば、取得部３４１は、ユーザ登録情報、保存対象画像データ及び画像特徴量データを、各通信端末装置１０から取得する。
【０１２２】
設定部３４２は、判定部３４３の判定処理で用いられる認証パターンを可変に設定する。例えば、設定部３４２は、認証パターンＤＢ３３５から取得部３４１を介して認証パターンを取得し、前回設定した認証パターンを用いた判定処理が完了すると、まだ判定処理
に用いられていない認証パターンを新たに設定する。なお、認証パターンの設定処理の詳細については後述する。
【０１２３】
判定部３４３は、画像特徴量データが示す画像特徴量と認証パターンとに基づいて、保存対象画像データを保存するか否かを判定する判定処理を実行する。例えば、判定部３４３は、画像ＤＢ３３２から取得部３４１を介して取得した画像特徴量データが示す画像特徴量と設定部３４２で設定された認証パターンとの相関度を算出し、当該相関度に基づいて保存対象画像データを保存するか否かを判定する。なお、相関度の算出処理の詳細については後述する。
【０１２４】
記録制御部３４４は、記録装置３３０を制御して、記録装置３３０の各種ＤＢを更新する。例えば、記録制御部３４４は、取得部３４１が取得したユーザ登録情報を用いて会員ＤＢ３３１を更新する。同様に、記録制御部３４４は、取得部３４１が取得した保存対象画像データ及び画像特徴量データを用いて、画像ＤＢ３３２を更新する。
【０１２５】
また、記録制御部３４４は、通信端末装置１０から送信された保存対象画像データを、画像ＤＢ３３２のアクセス不可領域３３４に記録させる制御を実行する。そして、記録制御部３４４は、判定部３４３が当該保存対象画像データを保存すると判定した場合には、アクセス不可領域３３４の保存対象画像データを画像ＤＢ３３２のアクセス可能領域３３３に転送して記録させるとともにアクセス不可領域の保存対象画像データを消去させる制御を実行する。さらに、記録制御部３４４は、判定部３４３が当該保存対象画像を保存しないと判定した場合には、アクセス不可領域３３４の保存対象画像データをアクセス可能領域３３３に転送せずに消去させる制御を実行する。
【０１２６】
［４］画像特徴量の算出処理及び相関度の算出処理
次に、図７を用いて本実施形態における画像特徴量の算出処理及び相関度の算出処理について説明する。なお、図７は、通信端末装置１０が実行する画像特徴量の算出処理及びサーバ装置３０が実行する相関度の算出処理の具体例を示すための概念図である。
【０１２７】
（画像特徴量の算出処理）
図７の例においては、画像特徴量として、色の特徴量の一つである輝度が用いられる。
【０１２８】
通信端末装置１０において実行される輝度の算出処理について図７を用いて説明する。まず、操作部１７０がユーザの静止画撮影指示を受け付けると、撮像部１３０が静止画像を保存対象画像として取得し、画像データ生成部１４１は、撮像部１３０の撮像素子の出力から保存対象画像データを生成する。この保存対象画像データは、画像データ記録部１０２のアクセス不可領域１０４に記録される。
【０１２９】
撮像部１３０は、静止画像を撮像し終えると、続いて、予め定められたフレーム数で構成される動画像を認証用画像として取得する。本実施形態において、撮像部１３０は、６０フレームで構成される認証用画像を取得する。画像データ生成部１４１は、撮像部１３０の撮像素子の出力から６０フレーム分の認証用画像データを生成する。この認証用画像データも、保存対象画像データと同様に、画像データ記録部１０２のアクセス不可領域１０４に記録される。
【０１３０】
なお、撮影を許可されたイベントの会場に設置される照明装置５０は、照射光の波長帯及び強度の少なくとも一方を変更するための照明変更パターンを記録するメモリを備え、当該メモリに記録された照明変更パターンに従って照射光の波長帯及び強度の少なくとも一方を制御する。照明変更パターンは、当該イベントを撮影した通信端末装置１０の認証用画像から算出される輝度が認証パターンを示すように、動画フレームの間隔で予め規定されている。
【０１３１】
算出部１４２は、認証用画像データを解析して各フレームのＲＧＢの平均値を算出する。次に、算出部１４２は、算出したＲＧＢの平均値を以下の（式１）に代入して各フレームの輝度（Ｙ）を算出する。
【数１】
2014192753.tif 000003
【０１３２】
そして、算出部１４２は、フレーム順で並べた輝度の数値列を示す輝度数値列データを生成する。生成された輝度数値列データは、保存対象画像対象データとともに画像データ記録部１０２のアクセス不可領域１０４に記録される。
【０１３３】
ネットワーク通信部１１０は、サーバ装置３０との接続を確立すると、画像データ記録部１０２のアクセス不可領域１０４に記録されている保存対象画像データ及び輝度数値列データをサーバ装置３０に送信する。保存対象画像データ及び輝度数値列データの送信処理が完了すると、端末データ処理部１４０は、画像データ記録部１０２のアクセス不可領域１０４に記録されているデータを消去する。
【０１３４】
（相関度の算出処理）
次に、サーバ装置３０において実行される相関度の算出処理について図７を用いて説明する。上述したように、図７の例において、輝度が画像特徴量として用いられるので、認証パターンは保存を許可すべき輝度のパターンに相当し、認証パターンＤＢ３３５に記録されている数値列は輝度の数値列に相当する。
【０１３５】
認証パターンを示す輝度の数値列における数値の個数は予め規定されている。本実施形態においては、図５に示すとおり、認証パターンを示す輝度の数値列における数値は７個である。なお、認証パターンを示す輝度の数値列における数値の個数はイベントごとに異なるように規定されてもよい。
【０１３６】
記録制御部３４４は、通信端末装置１０から送信された保存対象画像データ及び輝度数値列データを通信制御部３１０が受信すると、当該保存対象画像データ及び当該輝度数値列データを画像ＤＢ３３２のアクセス不可領域３３４に記録する。
【０１３７】
設定部３４２は、認証パターンＤＢ３３５に記録されている認証パターンのうち、判定処理に用いる認証パターンを設定する。例えば、設定部３４２は、イベントＩＤ順に認証パターンを設定するように構成されており、判定処理の開始時には、イベントＩＤ１の認証パターンを、判定処理に用いる認証パターンとして設定する。そして、設定部３４２は、イベントＩＤ１の認証パターンの数値列データを認証パターンＤＢ３３５から取得し、判定部３４３に出力する。
【０１３８】
そして、判定部３４３は、画像ＤＢ３３２のアクセス不可領域３３４から輝度数値列データを取得し、当該輝度数値列データが示す数値列と、設定部３４２から取得した認証パターンの数値列データが示す数値列との相関度を算出する。
【０１３９】
本実施形態においては、相関度として、ピアソンの積率相関係数が用いられる。ピアソンの積率相関係数ｒは、２変数ｘ，ｙがｎ組あたえられたとき、以下の（式２）ように変数ｘと変数ｙの共分散とそれぞれの変数の標準偏差から求められる。
【数２】
2014192753.tif 000004
【０１４０】
具体的には、まず、判定部３４３は、通信端末装置１０から取得した輝度数値列データの先頭を抽出開始位置として順に配列された７個の数値を抽出する。そして、判定部３４３は、抽出した７個の数値と設定部３４２が設定した認証パターンの数値列データの７個の数値とを用いて相関度を算出する。
【０１４１】
次に、判定部３４３は、通信端末装置１０から取得した輝度数値列データの先頭から２番目を抽出開始位置として順に配列された７個の数値を抽出し、設定部３４２が設定した認証パターンの数値列データの７個の数値との相関度を算出する。同様に、判定部３４３は、通信端末装置１０から取得した輝度数値列データの抽出開始位置を一つずらす毎に相関度を算出する。
【０１４２】
判定部３４３は、通信端末装置１０から取得された輝度数値列データにおける最後の７個の数値と認証パターンの数値列データの７個の数値との相関度の算出を完了すると、通信端末装置１０から取得された輝度数値列データと設定部３４２が設定した認証パターンの数値列データとは相関があるか否かを判定する。
【０１４３】
具体的には、判定部３４３は、所定の閾値以上、例えば０．８以上の相関度が１つでも存在すれば、通信端末装置１０から取得された輝度数値列データと設定部３４２が設定した認証パターンの数値列データとは相関がある。なお、判定部３４３は、所定の閾値以上の相関度が所定の数以上、例えば２つ以上存在する場合に、通信端末装置１０から取得された輝度数値列データと設定部３４２が設定した認証パターンの数値列データとは相関があると判定してもよい。
【０１４４】
通信端末装置１０から取得された輝度数値列データと設定部３４２が設定した認証パターンの数値列データとは相関がないと判定部３４３が判定した場合、設定部３４２は、まだ判定処理に用いられていない認証パターンを新たに設定する。そして、判定部３４３は、上述した相関度の算出処理を実行する。
【０１４５】
判定部３４３は、輝度数値列データと相関がある認証パターンの数値列データがある場合には、保存対象画像データを保存すると判定し、輝度数値列データと相関がある認証パターンがない場合には、保存対象画像データを保存しないと判定する。
【０１４６】
なお、相関度として、ピアソンの積率相関係数以外の相関係数、例えばスピアマンの順位相関係数が用いられてもよい。
【０１４７】
［５］通信システムの動作
次に、図８及び図９を用いて本実施形態の通信システムにおいて実行される具体的な処理について説明する。なお、図８及び図９は、通信システム１において実行される各処理を示すフローチャートである。
【０１４８】
この処理に先立って、各ユーザは、ＳＮＳの利用登録済みの状態、すなわち、会員ＤＢ３３１に各種の情報が登録済みの状態になっているものとする。ＳＮＳへの利用登録方法は、従来のＳＮＳと何ら変わらないので、説明を省略する。また、この処理に先立って、ユーザの通信端末装置１０は、ＳＮＳへのログインしているものとする。
【０１４９】
本動作において、通信端末装置１０の端末管理制御部１８０は、ユーザによる静止画撮影指示の入力が操作部１７０に対してなされるのを待機しているものとする。この状態において、端末管理制御部１８０は、操作部１７０に対するユーザ操作に基づいて静止画撮影指示を検出すると（ステップＳ１００）、撮像部１３０を制御して静止画撮影を実行する（ステップＳ１０１）。なお、上述したとおり、静止画像データは、保存対象画像データとして、記録部１００における画像データ記録部１０２のアクセス不可領域１０４に記録される。
【０１５０】
静止画撮影が完了すると、端末管理制御部１８０は、図７を用いて説明したように、撮像部１３０を制御して予め定められたフレーム数で構成される動画撮影を実行する（ステップＳ１０２）。なお、上述したとおり、動画像データは、認証用画像データとして、記録部１００における画像データ記録部１０２のアクセス不可領域１０４に記録される。
【０１５１】
次いで、端末データ処理部１４０の算出部１４２は、図７を用いて説明したように、認証用画像データの各フレームの輝度を算出する（ステップＳ１０３）。そして、端末管理制御部１８０は、ネットワーク通信部１１０を制御して、保存対象画像データ及び輝度数値列データをサーバ装置３０に送信する（ステップＳ１０４）。
【０１５２】
保存対象画像データ及び輝度数値列データの送信処理が完了すると、端末データ処理部１４０は、画像データ記録部１０２のアクセス不可領域１０４に記録された保存対象画像データ及び認証用画像データを消去する（ステップＳ１０５）。そして、端末管理制御部１８０は、サーバ装置３０からのデータ受信を待機する状態に移行する。
【０１５３】
サーバ装置３０においては、通信制御部３１０が保存対象画像データ等を受信すると（ステップＳ２００）、サーバデータ処理部３４０の記録制御部３４４は、当該保存対象画像データ等を記録装置３３０における画像ＤＢ３３２のアクセス不可領域３３４に記録する（ステップＳ２０１）。
【０１５４】
次いで、サーバデータ処理部３４０の設定部３４２及び判定部３４３は、図７を用いて説明したように、通信端末装置１０から取得した輝度数値列データと認証パターンの数値列データとの相関度を算出する（ステップＳ２０２）。そして、判定部３４３は、図７を用いて説明したように、輝度数値列データと相関のある認証パターンの数値列が存在するか否かを判断する（ステップＳ２０３）。
【０１５５】
輝度数値列データと相関のある認証パターンの数値列が存在すると判断された場合（ステップＳ２０３：Ｙｅｓ）、サーバデータ処理部３４０の判定部３４３は、記録装置３３０の撮影権ＤＢ３３６を参照して、当該認証パターンに対応するイベントについてユーザが撮影権を有するか否かを判断する（ステップＳ２０４）。
【０１５６】
ユーザが撮影権を有していると判断された場合（ステップＳ２０４：Ｙｅｓ）、サーバデータ処理部３４０の判定部３４３は、保存対象画像データを保存すると判定する（ステップＳ２０５）。なお、当該認証パターンに対応するイベントについて撮影権が不要である場合も判定部３４３はステップＳ２０５の処理を実行する。そして、サーバデータ処理部３４０の記録制御部３４４は、記録装置３３０における画像ＤＢ３３２のアクセス不可領域３３４の保存対象画像データをアクセス可能領域３３３へ転送して記録する（ステップＳ２０６）。
【０１５７】
一方、輝度数値列データと相関のある認証パターンの数値列が存在しないと判断された場合（ステップＳ２０３：Ｎｏ）、若しくは、ユーザが撮像権を有していないと判断された場合（ステップＳ２０４：Ｎｏ）には、サーバデータ処理部３４０の判定部３４３は、保存対象画像データを保存しないと判定する（ステップＳ２０７）。
【０１５８】
次いで、サーバデータ処理部３４０の記録制御部３４４は、記録装置３３０における画像ＤＢ３３２のアクセス不可領域３３４の保存対象画像データ等を消去する（ステップＳ２０８）。
【０１５９】
次いで、通信制御部３１０は、サーバデータ処理部３４０の判定部３４３による判定処理の結果を示す判定結果データを、保存対象画像データを送信した通信端末装置１０に送信する（ステップＳ２０９）。そして、サーバ管理制御部３５０は、本動作を終了させる。
【０１６０】
通信端末装置１０において、ネットワーク通信部１１０がサーバ装置３０から送信された判定結果データを受信すると（ステップＳ１０６）、表示制御部１６０は判定結果を表示部１５０に表示させ（ステップＳ１０７）、端末管理制御部１８０は本動作を終了させる。
【０１６１】
以上、本実施形態において、通信システム１及びサーバ装置３０は、認証用の画像特徴量と撮影を許可すべき認証パターンとを用いて保存対象画像を保存するか否かを判定することができる。
【０１６２】
したがって、通信システム１及びサーバ装置３０は、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【０１６３】
［６］変形例
［６．１］変形例１
上記実施形態においては、サーバ装置３０内に各ＤＢを設け、管理及び制御する構成としたが、各ＤＢの管理、制御主体となるコンピュータシステムは、各々、別個なコンピュータシステムによって稼働するようにしてもよい。
【０１６４】
［６．２］変形例２
上記実施形態においては、色の特徴量のうちの輝度が画像特徴量として用いられたが、他の色の特徴量、例えば明度が画像特徴量として用いられてもよい。明度は、ＲＧＢの最大の階調値である。また、色の特徴量以外の画像と久料領、例えばイベント名称等を示す特定の文字列が画像特徴量として用いられてよい。
【０１６５】
本変形例の通信システム１及びサーバ装置３０は、明度などの色の特徴量や特定の文字列などの色以外の画像特徴量を用いてイベントの撮影許可や撮影禁止を判定することができるので、画像特徴量と保存を希望する画像と一連の撮影によって実現することができるとともに容易に画像特徴量を取得することができる。
【０１６６】
［６．３］変形例３
上記実施形態においては、認証用画像として保存対象画像（静止画像）の撮像直後の動画像が用いられたが、保存対象画像（静止画像）の撮像直前の動画像が用いられてよい。具体的には、通信端末装置１０において、撮像部１３０が常に動画撮影を行って画像データ生成部１４１が画像データを生成し、端末データ処理部１４０が規定のフレーム数分の最新の動画像データを画像データ記録部１０２のアクセス不可領域１０４に記録する。そして、静止画撮影指示を操作部１７０で受け付けると、画像データ記録部１０２のアクセス不可領域１０４に記録されている動画像データが認証用画像データとして用いられる。
【０１６７】
［６．４］変形例４
上記実施形態においては、静止画像が保存対象画像として用いられたが、動画像が保存対象画像として用いられてもよい。この場合、認証用画像は、保存対象画像である動画像の撮像直前又は撮像直後に撮像された動画像であっても、保存対象画像である動画像自身であってもよい。
【０１６８】
［６．５］変形例５
上記実施形態においては、通信端末装置１０が画像特徴量を算出するように構成したが、サーバ装置３０が画像特徴量を算出するように構成してもよい。具体的には、サーバ装置３０の取得部３４１は、通信制御部３１０を介して通信端末装置１０から認証用画像データを取得する。そして、取得部３４１が、通信端末装置１０の算出部１４２と同様の処理で当該認証用画像データから画像特徴量を算出することにより画像特徴量データを取得する。
【０１６９】
本変形例における通信システム１及びサーバ装置３０は、画像特徴量と保存対象を希望する画像と一連の撮影によって実現することができるので、撮像以外の他の操作をユーザに要求することなく、イベントの撮影許可や撮影禁止を判定することができる。
【０１７０】
［６．６］変形例６
上記実施形態においては、サーバ装置３０の設定部３４２は、判定処理に用いられる認証パターンを順次変更したが、通信端末装置１０の位置情報、時刻情報、又はその双方の情報に基づいて認証パターンを可変に設定するように構成されてもよい。具体的には、認証パターンＤＢ３３５には、図５に示す情報とともにイベントの開催位置を示す開催位置情報及びイベントの開催期間を示す開催期間情報が対応付けて記録（登録）される。
【０１７１】
サーバ装置３０の取得部３４１は、通信制御部３１０を介して通信端末装置１０から位置情報及び時刻情報の少なくとも一方を取得する。位置情報が取得された場合には、設定部３４２は、当該位置情報が示す位置近傍の開催位置に対応する認証パターンを可変に設定する。時刻情報が取得された場合には、設定部３４２は、当該時刻情報が示す時刻が含まれる開催期間に対応する認証パターンを可変に設定する。
【０１７２】
本変形例における通信システム１及びサーバ装置３０は、通信端末装置の位置情報や時刻情報を用いて認証パターンを可変に設定することができるので、同一会場において異なるイベントが実施される場合、又は、同一時刻において異なる会場でイベントが実施される場合など、個々のイベントにおける撮影許可や撮影禁止について管理することができる。
【０１７３】
［６．７］変形例７
上記実施形態においては、サーバ装置３０の画像ＤＢ３３２が保存対象画像を保存するための記録手段として用いられたが、保存対象画像を保存するための記録手段が通信端末装置１０に設けられてもよい。具体的には、通信端末装置１０の画像データ記録部１０２がサーバ装置３０の画像ＤＢ３３２の機能を実現するように構成される。通信端末装置１０は、保存対象画像データを送信せずに画像特徴量データのみをサーバ装置３０に送信し、当該画像特徴量データに基づく判定結果データをサーバ装置３０から受信する。
【０１７４】
そして、通信端末装置１０の端末データ処理部１４０は、判定結果データに基づいて、画像データ記録部１０２のアクセス不可領域１０４の保存対象画像データをアクセス可能領域１０３に転送して記録した後にアクセス不可領域１０４の保存対象画像データを消去する、若しくはアクセス不可領域１０４の保存対象画像データを転送せずに消去する。
【０１７５】
本変形例において、サーバ装置３０の記録制御部３４４は、判定部３４３の判定処理の結果に応じて通信端末装置１０の記録部１００を制御するための制御指令データを生成し、通信制御部３１０は、判定結果データとともに当該制御指令データを通信端末装置１０に送信するように構成されてもよい。この場合、通信端末装置１０の端末データ処理部１４０は、制御指令データに従って、画像データ記録部１０２のアクセス不可領域１０４の保存対象画像データをアクセス可能領域１０３に転送して記録した後にアクセス不可領域１０４の保存対象画像データを消去する、若しくはアクセス不可領域１０４の保存対象画像データを転送せずに消去する。
【０１７６】
本変形例における通信システム１及びサーバ装置３０は、撮影が許可された画像データを通信端末装置に保存することができるので、ネットワークと無関係に、すなわち、オフラインによって画像データの利用を行うことができるとともに、その結果、画像データを利用する際のユーザの利便性を向上させることができる。
【０１７７】
［６．８］変形例８
上記実施形態においては、通信端末装置１０とサーバ装置３０とを含むシステムで上述の各処理が実行されたが、撮像装置単独で上述の各処理が実行されてもよい。まず、図１０を用いて本変形例の撮像装置６０の構成について説明する。なお、図１０は、本変形例の撮像装置６０の構成を示す構成図である。
【０１７８】
本変形例の撮像装置６０は、図１０に示すように、記録部６００と、ネットワーク通信部６１０と、現在位置検出部６２０と、撮像部６３０と、装置データ処理部６４０と、表示部６５０と、表示制御部６６０と、操作部６７０と、装置管理制御部６８０と、を有している。なお、上記の各部は、バスＢによって相互に接続され、各構成要素間におけるデータの転送が実行される。
【０１７９】
記録部６００は、アプリケーション記録部６０１と、画像データ記録部６０２と、認証パターン記録部６０５と、撮影権記録部６０６と、を少なくとも含む。
【０１８０】
アプリケーション記録部６０１及び画像データ記録部６０２は、それぞれ、上述した通信端末装置１０のアプリケーション記録部１０１及び画像データ記録部１０２と同様の機能を実現するように構成されている。また、画像データ記録部６０２は、上述したサーバ装置３０の画像ＤＢ３３２と同様の機能も実現するように構成されている。なお、例えば、画像データ記録部６０２は、本発明の記録手段を構成する。
【０１８１】
さらに、画像データ記録部６０２は、ユーザがアクセス可能なアクセス可能領域６０３と、ユーザがアクセス不可能なアクセス不可領域６０４と、を少なくとも有する。アクセス可能領域６０３は、上述した通信端末装置１０のアクセス可能領域１０３及び上述したサーバ装置３０のアクセス可能領域３３３と同様の機能を実現するように構成されている。アクセス不可領域６０４は、上述した通信端末装置１０のアクセス不可領域１０４及び上述したサーバ装置３０のアクセス不可領域３３４と同様の機能を実現するように構成されている。
【０１８２】
認証パターン記録部６０５及び撮影権記録部６０６は、それぞれ、上述したサーバ装置３０の認証パターンＤＢ３３５及び撮影権ＤＢ３３６と同様の機能を実現するように構成されている。
【０１８３】
ネットワーク通信部６１０、現在位置検出部６２０及び撮像部６３０は、それぞれ、上述した通信端末装置１０のネットワーク通信部１１０、現在位置検出部１２０及び撮像部１３０と同様の機能を実現するように構成されている。なお、例えば、撮像部６３０は、本発明の撮像手段を構成する。
【０１８４】
装置データ処理部６４０は、画像データ生成部６４１と、算出部６４２と、設定部６４３と、判定部６４４と、記録制御部６４５と、を少なくとも含む。なお、例えば、画像データ生成部６４１、算出部６４２、判定部６４４及び記録制御部６４５は、それぞれ、本発明の生成手段、算出手段、判定手段及び記録制御手段を構成する。
【０１８５】
画像データ生成部６４１及び算出部６４２は、それぞれ、上述した通信端末装置１０の画像データ生成部１４１及び算出部１４２と同様の機能を実現するように構成されている。
【０１８６】
設定部６４３、判定部６４４及び記録制御部６４５は、それぞれ、上述したサーバ装置３０の設定部３４２、判定部３４３及び記録制御部３４４と同様の機能を実現するように構成されている。
【０１８７】
表示部６５０、表示制御部６６０、操作部６７０及び装置管理制御部６８０は、それぞれ、上述した通信端末装置１０の表示部１５０、表示制御部１６０、操作部１７０及び端末管理制御部１８０と同様の機能を実現するように構成されている。
【０１８８】
次に、図１１を用いて本変形例の撮像装置６０において実行される具体的な処理について説明する。なお、図１１は、撮像装置６０において実行される各処理を示すフローチャートである。
【０１８９】
本動作において、撮像装置６０の端末管理制御部８０は、ユーザによる静止画撮影指示の入力が操作部６６０に対してなされるのを待機しているものとする。この状態において、装置管理制御部６８０は、操作部６６０に対するユーザ操作に基づいて静止画撮影指示を検出すると（ステップＳ３００）、撮像部６３０を制御して静止画撮影を実行する（ステップＳ３０１）。なお、上記実施形態と同様に、静止画像データは、保存対象画像データとして、記録部６００における画像データ記録部６０２のアクセス不可領域６０４に記録される。
【０１９０】
静止画撮影が完了すると、装置管理制御部６８０は、上記実施形態と同様に、撮像部６３０を制御して予め定められたフレーム数で構成される動画撮影を実行する（ステップＳ３０２）。なお、上記実施形態と同様に、動画像データは、認証用画像データとして、記録部６００における画像データ記録部６０２のアクセス不可領域６０４に記録される。
【０１９１】
次いで、装置データ処理部６４０の算出部６４２は、上記実施形態と同様に、認証用画像データの各フレームの輝度を算出する（ステップＳ３０３）。
【０１９２】
次いで、装置データ処理部６４０の設定部６４３及び判定部６４４は、上記実施形態と同様に、輝度数値列データと認証パターンの数値列データとの相関度を算出する（ステップＳ３０４）。そして、判定部６４４は、上記実施形態と同様に、輝度数値列データと相関のある認証パターンの数値列が存在するか否かを判断する（ステップＳ３０５）。
【０１９３】
輝度数値列データと相関のある認証パターンの数値列が存在すると判断された場合（ステップＳ３０５：Ｙｅｓ）、装置データ処理部６４０の判定部６４４は、記録部６００の撮影権記録部６０６を参照して、当該認証パターンに対応するイベントについてユーザが撮影権を有するか否かを判断する（ステップＳ３０６）。
【０１９４】
ユーザが撮影権を有していると判断された場合（ステップＳ３０６：Ｙｅｓ）、装置データ処理部６４０の判定部６４４は、保存対象画像データを保存すると判定する（ステップＳ３０７）。なお、当該認証パターンに対応するイベントについて撮影権が不要である場合も判定部６４４はステップＳ３０７の処理を実行する。そして、装置データ処理部６４０の記録制御部６４５は、記録部６００における画像データ記録部６０１のアクセス不可領域６０４の保存対象画像データをアクセス可能領域６０３へ転送して記録する（ステップＳ３０８）。
【０１９５】
一方、輝度数値列データと相関のある認証パターンの数値列が存在しないと判断された場合（ステップ３０５：Ｎｏ）、若しくは、ユーザが撮像権を有していないと判断された場合（ステップ３０６：Ｎｏ）には、装置データ処理部６４０の判定部６４４は、保存対象画像データを保存しないと判定する（ステップＳ３０９）。
【０１９６】
次いで、装置データ処理部６４０の記録制御部６４５は、記録部６００における画像データ記録部６０１のアクセス不可領域６０４の保存対象画像データ等を消去する（ステップＳ３１０）。そして、表示制御部６６０は判定結果を表示部６５０に表示させ（ステップＳ３１１）、装置管理制御部６８０は本動作を終了させる。
【０１９７】
上述したとおり、本変形例における撮像装置６０は、認証用の画像特徴量と撮影を許可すべき認証パターンとを用いて保存対象画像を保存するか否かを判定することができる。
【０１９８】
したがって、本変形例における撮像装置６０は、イベントの撮影許可や撮影禁止を自動で判定し、判定結果に基づいて、撮影した画像データを保存の可否を制御することができるので、イベントの秘匿性の確保及び著作権保護を実現しつつ、イベントの広告宣伝と当該イベント参加に対するユーザの満足度を向上させることができる。
【符号の説明】
【０１９９】
１  …  通信システム
１０  …  通信端末装置
２０  …  ネットワーク
３０  …  サーバ装置
４０  …  ＧＰＳ衛星
５０  …  照明装置
６０  …  撮像装置
１００  …  記録部
１０１  …  アプリケーション記録部
１０２  …  画像データ記録部
１０３  …  アクセス可能領域
１０４  …  アクセス不可領域
１１０  …  ネットワーク通信部
１２０  …  現在位置検出部
１３０  …  撮像部
１４０  …  端末データ処理部
１４１  …  画像データ生成部
１４２  …  算出部
１５０  …  表示部
１６０  …  表示制御部
１７０  …  操作部
１８０  …  端末管理制御部
３１０  …  通信制御部
３３０  …  記録装置
３３１  …  会員ＤＢ
３３２  …  画像ＤＢ
３３３  …  アクセス可能領域
３３４  …  アクセス不可領域
３３５  …  認証パターンＤＢ
３３６  …  撮影権ＤＢ
３４０  …  サーバデータ処理部
３４１  …  取得部
３４２  …  設定部
３４３  …  判定部
３４４  …  記録制御部
３５０  …  サーバ管理制御部
６００  …  記録部
６０１  …  アプリケーション記録部
６０２  …  画像データ記録部
６０３  …  アクセス可能領域
６０４  …  アクセス不可領域
６０５  …  認証パターン記録部
６０６  …  撮影権記録部
６１０  …  ネットワーク通信部
６２０  …  現在位置検出部
６３０  …  撮像部
６４０  …  装置データ処理部
６４１  …  画像データ生成部
６４２  …  算出部
６４３  …  設定部
６４４  …  判定部
６４５  …  記録制御部
６５０  …  表示部
６６０  …  表示制御部
６７０  …  操作部
６８０  …  装置管理制御部
【図１】
2014192753.tif 000005
【図２】
2014192753.tif 000006
【図３】
2014192753.tif 000007
【図４】
2014192753.tif 000008
【図５】
2014192753.tif 000009
【図６】
2014192753.tif 000010
【図７】
2014192753.tif 000011
【図８】
2014192753.tif 000012
【図９】
2014192753.tif 000013
【図１０】
2014192753.tif 000014
【図１１】
2014192753.tif 000015